(57)【要約】【課題】表示装置を移動させるだけでなく、表示装置の移動と可動体とを組み合わせた意外性に富んだ演出を可能とした遊技機を提供する。【解決手段】遊技盤３０の盤面３０Ｆの前方から表示画面が目視可能に配置された複数の表示装置と、当該表示装置の後方に配置された可動体（中央役物装置３００）とを備え、互いに隣り合うように配置された一方の表示装置（上の演出表示装置１０１）と他方の表示装置（下の演出表示装置１０１）とが互いに離れる方向に移動可能に構成され、離れた方向に移動した前記一方の表示装置と前記他方の表示装置との間の間隙１００Ｙを介して前記遊技盤の盤面の前方から前記可動体が目視可能となるように当該可動体が配置された。【選択図】図２３
2016214741.tif 000002
【特許請求の範囲】
【請求項１】
遊技盤の盤面の前方から表示画面が目視可能に配置された複数の表示装置と、当該表示装置の後方に配置された可動体とを備え、
互いに隣り合うように配置された一方の表示装置と他方の表示装置とが互いに離れる方向に移動可能に構成され、離れた方向に移動した前記一方の表示装置と前記他方の表示装置との間の間隙を介して前記遊技盤の盤面の前方から前記可動体が目視可能となるように当該可動体が配置されたことを特徴とする遊技機。
【請求項２】
前記可動体は、前記間隙を介して前記各表示画面の前方に移動するように構成されたことを特徴とする請求項１に記載の遊技機。
【請求項３】
前記一方の表示装置及び前記他方の表示装置は、前記遊技盤の盤面の後方において上下に互いに隣り合うように配置された上側の表示装置及び下側の表示装置であり、
前記上側の表示装置の下端と前記下側の表示装置の上端とが互いに離れる方向に移動するように構成されたことを特徴とする請求項１又は請求項２に記載の遊技機。
【発明の詳細な説明】
【技術分野】
【０００１】
本発明は、遊技盤の盤面の前方から表示画面が目視可能に配置された複数の表示装置と、当該表示装置の後方に配置された可動体とを備えた遊技機に関する。
【背景技術】
【０００２】
従来、複数の表示装置を備えた遊技機として、互いに並べて配置した２つの液晶表示装置の前方で動く可動体を備えた遊技機（特許文献１参照）、互いに平行に並べて配置した２つの液晶表示装置が互いに離れる方向に移動する構成の遊技機（特許文献２参照）、複数の液晶表示装置を備え、一の液晶表示装置が他の液晶表示装置の前方で他の液晶表示装置の表示画面に沿って平行に移動する構成の遊技機（特許文献３参照）等が知られている。
【０００３】
特許文献１の遊技機においては、２つの液晶表示装置が固定されている。
特許文献２の遊技機においては、２つの液晶表示装置が移動するように構成されている。
特許文献３の遊技機においては、後方に配置された後側表示装置の前方で前側表示装置が移動するように構成されている。
【先行技術文献】
【特許文献】
【０００４】
【特許文献１】特開２００８−３５９５０号公報
【特許文献２】特開２００６−２４９号公報
【特許文献３】特開２０１２−５０７３７号公報
【発明の概要】
【発明が解決しようとする課題】
【０００５】
従来の複数の表示装置を備えた遊技機では、表示装置を移動させるだけであり、表示画面に表示される演出と表示装置を移動させる演出とが組み合わされた演出だけでは意外性に欠けるといった課題があった。
【０００６】
本発明は上記課題を解決すべく、表示装置を移動させるだけでなく、表示装置の移動と可動体とを組み合わせた意外性に富んだ演出を可能とした遊技機を提供する。
【課題を解決するための手段】
【０００７】
上記課題を解決するための本発明に係る遊技機は、遊技盤の盤面の前方から表示画面が目視可能に配置された複数の表示装置と、当該表示装置の後方に配置された可動体とを備え、互いに隣り合うように配置された一方の表示装置と他方の表示装置とが互いに離れる方向に移動可能に構成され、離れた方向に移動した前記一方の表示装置と前記他方の表示装置との間の間隙を介して前記遊技盤の盤面の前方から前記可動体が目視可能となるように当該可動体が配置されたことを特徴とする。
また、前記可動体は、前記間隙を介して前記各表示画面の前方に移動するように構成されたことを特徴とする。
また、前記一方の表示装置及び前記他方の表示装置は、前記遊技盤の盤面の後方において上下に互いに隣り合うように配置された上側の表示装置及び下側の表示装置であり、前記上側の表示装置の下端と前記下側の表示装置の上端とが互いに離れる方向に移動するように構成されたことを特徴とする。
なお、上記発明の概要は、本発明の必要な特徴の全てを列挙したものではなく、特徴群を構成する個々の構成もまた発明となり得る。
【発明の効果】
【０００８】
上記各構成に係る遊技機によれば、表示装置の移動と可動体とを組み合わせた意外性に富んだ演出が可能となり、遊技性に富んだ遊技機を提供できる。
【図面の簡単な説明】
【０００９】
【図１】パチンコ機の概略斜視図。
【図２】遊技盤の正面図。
【図３】遊技盤の斜視図。
【図４】遊技盤を構成する複数の部品を示す分解斜視図。
【図５】遊技盤を構成する複数の部品を示す分解斜視図。
【図６】上の可動演出表示装置を分解した状態を前側から見た分解斜視図。
【図７】上の可動演出表示装置を分解した状態を後側から見た分解斜視図。
【図８】上の可動演出表示装置の上下スライド機構装置における伝達機構を示す図。
【図９】上の可動演出表示装置の動作説明図。
【図１０】左の役物装置を分解した状態を前側から見た分解斜視図。
【図１１】左の役物装置を分解した状態を後側から見た分解斜視図。
【図１２】（ａ）は左の役物装置の非動作状態を前側から見た図、（ｂ）は左の役物装置の非動作状態を後側から見た図。
【図１３】（ａ）は左の役物装置の動作状態を前側から見た図、（ｂ）は左の役物装置の動作状態を後側から見た図。
【図１４】中央役物装置の斜視図。
【図１５】中央役物装置を分解した状態を前側から見た分解斜視図。
【図１６】中央役物装置を分解した状態を後側から見た分解斜視図。
【図１７】中央役物装置の複合遊技部品が後側に位置された状態を示す図であって、（ａ）は平面図、（ｂ）は後面図。
【図１８】中央役物装置の複合遊技部品が前側に位置された状態を示す図であって、（ａ）は平面図、（ｂ）は後面図。
【図１９】（ａ）は中央役物装置の開閉体の閉状態を後側から見た図、（ｂ）は中央役物装置の開閉体の開状態を後側から見た図。
【図２０】上下の可動演出表示装置による動演出を示す図であって、（ａ）は正面図、（ｂ）は斜視図。
【図２１】上下の可動演出表示装置による動演出を示す図であって、（ａ）は正面図、（ｂ）は斜視図。
【図２２】上下の可動演出表示装置と中央役物装置とによる複合演出の一例を示す図であって、（ａ）は正面図、（ｂ）は斜視図。
【図２３】（ａ）は上下の可動演出表示装置の各演出表示画面が遊技盤の盤面と平行に位置された状態を示す断面図、（ｂ）は上下の可動演出表示装置が上下方向に互いに離れてかつ各演出表示画面が遊技盤の盤面に対して傾斜した状態となった場合に中央役物装置の可動体が各演出表示画面の前方に移動した状態を示す断面図。
【図２４】パチンコ機の制御ブロック図。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２乃至図５参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２，図３参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０は、図４，５に示すように、前面が遊技盤３０の盤面３０Ｆを形成する盤面構成体３１Ａと、盤面構成体３１Ａの盤面３０Ｆ（盤面構成体３１Ａの前面）に取付けられて当該盤面３０Ｆよりも前方に突出する前側遊技部品３１Ｂ、盤面構成体３１Ａの後側に配置された後側遊技部品３１Ｃと、後側遊技部品３１Ｃが収容状態に固定される固定部と盤面構成体３１Ａが固定される固定部とを備えた遊技部品設置固定部材３１Ｄとを備える。
【００１４】
盤面構成体３１Ａの中央部には、遊技者が後側遊技部品３１Ｃを盤面構成体３１Ａの前方から目視可能とするための表示孔３１Ｈが形成されている。盤面構成体３１Ａは、表示孔３１Ｈの開口の面積と盤面３０Ｆの面積との比が例えば１：１程度となるように形成されている。
【００１５】
後側遊技部品３１Ｃは、前方遊技部品群３１Ｘと後方遊技部品群３１Ｙとを備える。
前方遊技部品群３１Ｘは、上，下の可動演出表示装置（表示装置）１００，１００と、左，右の役物装置（可動体）２００，２００とを備える。
後方遊技部品群３１Ｙは、中央役物装置３００と、上飾り部品４００と、下飾り部品５００とを備える。
【００１６】
実施形態においては、図４に示すように、可動体として機能する中央役物装置３００の前方において上の可動演出表示装置１００の下端１００ｕと下の可動演出表示装置１００の上端１００ｔとが接触した状態となることで、遊技盤３０の盤面３０Ｆの前方から中央役物装置３００が目視されない。
そして、図５に示すように、中央役物装置３００の前方において上の可動演出表示装置１００の下端１００ｕと下の可動演出表示装置１００の上端１００ｔとが上下方向に互いに離れるように移動するとともに、上の可動演出表示装置１００の下端１００ｕと下の可動演出表示装置１００の上端１００ｔとが遊技盤３０の盤面３０Ｆから離れる方向に移動して、可動演出表示装置１００，１００の各演出表示画面１０５，１０５が遊技盤３０の盤面３０Ｆに対して傾斜した状態となった場合、各演出表示画面１０５，１０５の前方に中央役物装置３００の可動体（後述する回転部材３１２及び開閉部材３１３）を動かせる可動体演出空間１００Ｘ（図２３参照）を形成できるようになる。
従って、上の可動演出表示装置１００の下端１００ｕと下の可動演出表示装置１００の上端１００ｔとの間の間隙１００Ｙ（図２３参照）を介して中央役物装置３００の可動体を可動演出表示装置１００，１００の後方から各演出表示画面１０５，１０５の前方に移動させて可動体演出空間１００Ｘで動かせるようになり、可動演出表示装置１００と中央役物装置３００の可動体との動きによる複合動演出が可能となる。
【００１７】
尚、盤面構成体３１Ａの盤面３０Ｆ側における表示孔３１Ｈの周囲には、前側遊技部品３１Ｂにより形成される遊技球誘導壁部３５が前方に向けて突設されている。遊技球誘導壁部３５は、盤面構成体３１Ａの盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
また、表示孔３１Ｈの上側開口縁の下に位置されるように、表示孔３１Ｈの上側開口縁を取り囲む遊技球誘導壁部３５には光飾装置７０（図２，図３参照）が取付けられている。
【００１８】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１９】
また、本実施形態において遊技領域３０Ａは、図２に示すように、概ね左打ち領域ＥＬと右打ち領域ＥＲとに区分けされている。左打ち領域ＥＬは、遊技盤３０の左右中心線ＣＬよりも左側の領域であり、当該左打ち領域ＥＬに到達した遊技球は遊技領域３０Ａ内を流下する。
一方、右打ち領域ＥＲは、遊技領域３０Ａの左右中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００２０】
遊技盤３０の遊技領域３０Ａ内には、前側遊技部品３１Ｂを構成する、第１始動部品５０、第２始動部品５２、大入賞装置６０、一般入賞部品６６等が配設されており、これらの入賞部品や入賞装置に遊技球が入球すると、各入賞部品等に対応した所定数の賞球が受皿６に払出される。
また、遊技球が第１始動部品５０、又は第２始動部品５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０により実行される。即ち、第１始動部品５０、又は第２始動部品５２への遊技球の入球は、上記各種の抽選を受ける契機となるものである。
【００２１】
以下、各入賞装置の構成について説明する。
第１始動部品５０は、遊技領域３０Ａの左右方向略中央において、上記表示孔３１Ｈの下側開口縁に沿って設けられたステージ４７の下方に配設される。第１始動部品５０は、遊技盤３０の盤面３０Ｆより前方に突出し、上方が開口した入賞部５０Ａと、第１始動口検出スイッチＳＷ１（図２４参照）とを備え、入賞部５０Ａの上方開口（第１始動口）より内部に取り込まれた遊技球は、内部に配設された第１始動口検出スイッチＳＷ１によって検出される。
【００２２】
図２４に示すように、第１始動口検出スイッチＳＷ１は、主制御回路２４０と接続されており、主制御回路２４０は第１始動口検出スイッチＳＷ１からの検出信号に基づいて前述した各種の抽選処理や、賞球を例えば３個払い出す賞球払出処理を実行する。なお、本例において第１始動部品５０の位置は、上述の左打ち領域ＥＬを流下する遊技球のみが入球し得る位置に設定されている。
【００２３】
第２始動部品５２は、右打ち領域ＥＲ内において前述の第１始動部品５０、大入賞装置６０よりも上方に配設される。第２始動部品５２は、遊技盤３０の盤面３０Ｆより前方に突出し、側部が開口した矩形状の入賞部５２Ａと、第２始動口検出スイッチＳＷ２（図２４参照）と、入賞部５２Ａの側部において開閉動作可能に設けられた開閉体５３とを備える。図２に示すように、矩形状の入賞部５２Ａは例えば透明なケーシングにより形成されており、遊技者は入賞部５２Ａの側部開口（第２始動口）への遊技球の入球有無を視認可能である。入賞部５２Ａ内に入球した遊技球は、内部に配設された第２始動口検出スイッチＳＷ２により検出される。
図２４に示すように、第２始動口検出スイッチＳＷ２は主制御回路２４０と接続されており、主制御回路２４０は第２始動口検出スイッチＳＷ２からの検出信号に基づいて前述した各種の抽選処理や、賞球を例えば３個払い出す賞球払出処理を実行する。
【００２４】
開閉体５３は、盤面構成体３１Ａの後面側に配設されたソレノイドＳＯＬ１（図２４参照）の駆動によって閉鎖状態と開放状態とを取り得る羽根状部材である。図２に示すように、開閉体５３が直立した閉鎖状態においては、開閉体５３の自由端部が、遊技盤３０の盤面３０Ｆより前方に突出し、上下方向に延在する流下阻止壁５７ａの下端部と遊技球の直径未満の間隔で接近することから、遊技球は第２始動部品５２の入賞部５２Ａに入球することはできない。一方、開閉体５３が左右方向に倒伏した開放状態においては、開閉体５３の自由端部が流下阻止壁５７ａの下端部と遊技球の直径以上の間隔を有して離間することから、遊技球は第２始動部品５２の入賞部５２Ａに入球可能となる。なお、第２始動部品５２の位置は、上述の右打ち領域ＥＲに打ち出された遊技球のみが入球し得る位置に設定されており、遊技球が右打ち領域ＥＲを流下し、かつ、開閉体５３が開放動作中である場合に限って入球が可能となる。
【００２５】
第２始動部品５２の上方には、通過ゲート５８が配設される。通過ゲート５８は、上下が開放した門型の遊技部品であって、その内部にはゲート検出スイッチＳＷ３（図２４参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２６】
次に、大入賞装置６０について概説する。図２に示すように、大入賞装置６０は、右打ち領域ＥＲにおいて、第２始動部品５２の下方に配設される入賞装置である。同図の破線に示すように、大入賞装置６０は、上方開放の入球口として形成された大入賞口６０Ａと、当該大入賞口６０Ａを閉鎖状態又は開放状態とする開閉体６５とを備える。開閉体６５は、ソレノイドＳＯＬ２の駆動によって遊技盤３０の前後方向に開閉動作する部材である。開閉体６５が前方に突出して大入賞口６０Ａを閉鎖した状態において、遊技球は大入賞口６０Ａ内に入球することなく遊技領域３０Ａの下流に流下する。一方、後述の特別遊技が実行され、開閉体６５が後方に没入して大入賞口６０Ａを開放した状態において、遊技球は大入賞口６０Ａ内に入球し、内部に配設された大入賞口検出スイッチＳＷ４（図２４参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口６０Ａへの入球が可能となる。
【００２７】
一般入賞部品６６は、遊技盤３０の左下側部に配設された部材であって、上方開口の複数の一般入賞口６６ａと、一般入賞口検出スイッチＳＷ５（図２４参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、遊技領域の複数箇所に開設された複数のアウト口６９に入球し、当該アウト口６９と連通する図外の排出通路を介して機外に排出される。
【００２８】
［上，下の可動演出表示装置１００，１００について］
次に、図６乃至図９、及び、図２３を参照し、上，下の可動演出表示装置１００，１００について説明する。
同じ機能を備えた上，下の可動演出表示装置１００，１００は、遊技盤３０の盤面３０Ｆと直交する面、即ち、遊技盤３０が島設備に設置された状態において略水平な面を対象面として、上下面対称となるように配置される。
上，下の可動演出表示装置１００，１００は、同じ機能を備えた構成であるため、以下、上の可動演出表示装置１００を例にして説明する。
【００２９】
可動演出表示装置１００は、表示装置としての演出表示装置１０１と、演出表示装置駆動手段１０２とを備える。
【００３０】
演出表示装置１０１は、例えば液晶表示画面等の演出表示画面１０５を備え、当該演出表示画面１０５に１〜８までの数字、及び特定のキャラクター等からなる演出図柄を変動表示可能な液晶表示装置である。
演出表示装置１０１の演出表示画面１０５には、演出図柄の他、演出図柄の変動表示に伴って予告演出やリーチ演出とも呼ばれる画像や動画によって表現される多様な変動演出が表示され、遊技者は一般に、演出表示画面１０５上に表示される変動表示、及び変動演出を視認しながら遊技を楽しむこととなる。
【００３１】
演出表示装置駆動手段１０２は、演出表示装置１０１の左右両側を支持した状態で当該演出表示装置１０１を上下方向に移動させる上下移動装置１１０と、演出表示装置１０１の演出表示画面１０５が遊技盤３０の盤面３０Ｆに対して傾斜するように当該演出表示装置１０１の姿勢を維持する傾姿勢維持手段１１１とを備える。即ち、傾姿勢維持手段１１１を備えることで、演出表示画面１０５が遊技盤３０の盤面３０Ｆに対して平行な状態から遊技盤３０の盤面３０Ｆに対して傾斜するように構成されている。
【００３２】
上下移動装置１１０は、演出表示装置１０１を遊技盤３０の盤面３０Ｆに沿って上下方向に移動させる装置であって、演出表示装置１０１の左右両側にそれぞれ配置された左，右の上下スライド機構装置１１２，１１２と、左，右の上下スライド機構装置１１２，１１２と演出表示装置１０１とを連結する連結手段１１３とを備えて構成される。
【００３３】
上下スライド機構装置１１２は、基体１１５と、駆動源としてのモータ１１６と、棒ねじ１１７と、モータ１１６の回転力を棒ねじ１１７に伝達する伝達機構１１８と、棒ねじ１１７に螺着されて棒ねじ１１７が棒ねじ１１７の中心軸を回転中心として回転することで棒ねじ１１７の中心軸に沿って移動するように設けられたスライダ１１９とを備える。
【００３４】
基体１１５は、取付基体１２０と、取付基体１２０の前面に取付けられる前面カバー１２１とを備えて構成される。
取付基体１２０は、モータ１１６、棒ねじ１１７、伝達機構１１８等が取付けられる部材取付基体１２０Ａと、移動ガイド孔形成部材１２０Ｂとを備える。
部材取付基体１２０Ａは、棒ねじ１１７の上下端側が貫通して当該棒ねじ１１７を回転可能に支持する上下の軸受部１２２，１２２と、スライダ１１９が棒ねじ１１７の中心軸を回転中心として回転しないように当該スライダ１１９を移動させるためのスライダ移動路１２３とを備える。
移動ガイド孔形成部材１２０Ｂは、部材取付基体１２０Ａの側面に図外の止ねじ等で連結されており、スライダ移動路１２３の延長方向に延長するように形成された移動ガイド孔１２４を備える。
前面カバー１２１は、スライダ１１９の前面の前方に配置されて部材取付基体１２０Ａの前面に図外の止ねじ等で連結されており、後述する左，右の役物装置２００を取り付けるための取付基体として機能する。
【００３５】
図８に示すように、伝達機構１１８は、部材取付基体１２０Ａに固定されたモータ１１６のモータ軸１１６ａに固定されてモータ１１６の回転力で回転する駆動歯車１２５と、駆動歯車１２５と噛み合って回転可能なように部材取付基体１２０Ａに取付けられた第１従動歯車１２６と、棒ねじ１１７の一端側に固定されて第１従動歯車１２６と噛み合う第２従動歯車１２７とを備えて構成される。
【００３６】
従って、モータ１１６を回転させることによって、モータ１１６の回転力が伝達機構１１８を介して棒ねじ１１７に伝達されて当該棒ねじ１１７が回転し、スライダ１１９が棒ねじ１１７の中心軸に沿って上下方向に移動する。
即ち、上下スライド機構装置１１２は、棒ねじ１１７とスライダ１１９とのねじ対偶により、棒ねじ１１７を回転させてスライダ１１９を棒ねじ１１７の中心軸に沿って上下方向に移動させる構成を備える。
【００３７】
連結手段１１３は、演出表示装置１０１とスライダ１１９とを連結するスライダ連結部材１３０と、演出表示装置１０１と移動ガイド孔１２４とを連結する移動ガイド孔連結部材１３１とを備える。
【００３８】
スライダ連結部材１３０は、演出表示装置１０１の後面上部の左右間に跨って演出表示装置１０１の左右の側縁よりも突出するスライダと１１９，１１９の左右の連結部１３２，１３２を備えた左右延長部１３３と、演出表示装置１０１の後面の左右側において当該左右延長部１３３を演出表示装置１０１に対して回動自在に連結する左右のヒンジ部１３４，１３４とを備えた構成である。
スライダ連結部材１３０の連結部１３２とスライダ１１９とが連結されていることで、スライダ１１９の上下方向の移動に伴って演出表示装置１０１も上下方向に移動する。
【００３９】
ヒンジ部１３４は、スライダ連結部材１３０の回転中心軸となる回転中心軸１３５（図７参照）を介して回動可能となるように構成されている。
ヒンジ部１３４は、具体的には、前記回転中心軸１３５が演出表示装置１０１の後面より突出するように設けられた軸受部１３６の軸受孔１３７を貫通するように設けられ、回転中心軸１３５と演出表示装置１０１の後面と間に配置された前側部材１３８と左右延長部１３３とが回転中心軸１３５を挟み込むように互いに図外の止ねじ等で連結されたことにより構成される（図７参照）。
以上により、スライダ連結部材１３０が回転中心軸１３５を回転中心として回動可能なように構成され、演出表示画面１０５を遊技盤３０の盤面３０Ｆ及び当該盤面３０Ｆと直交する面（遊技盤３０が島設備に設置された状態において略水平な面）に対して傾いた傾斜表示面とすることが可能なように構成される。
【００４０】
尚、左右のヒンジ部１３４，１３４のうちの一方のヒンジ部１３４は、ねじりコイルばね（トーションばね）１４０（図７参照）を有している。
即ち、ねじりコイルばね１４０のコイル部の貫通孔に回転中心軸１３５を貫通させ、ねじりコイルばね１４０の一端側の直線部１４１を左右延長部１３３の前面に接触させるとともに、ねじりコイルばね１４０の他端側の直線部１４２を演出表示装置１０１の後面に接触させるように構成することで、通常状態においては、当該ねじりコイルばね１４０の付勢力によって演出表示装置１０１の後面と左右延長部１３３の前面とが互いに離れる方向に付勢されて演出表示画面１０５を遊技盤３０の盤面３０Ｆと平行な状態に維持し、演出表示装置１０１の演出表示画面１０５が傾く際には当該ねじりコイルばね１４０の付勢力に抗して演出表示装置１０１の後面と左右延長部１３３の前面とが互いに近づく方向に移動可能なように構成されている。
つまり、ねじりコイルばね１４０は、演出表示装置１０１の演出表示画面１０５が傾いた状態から遊技盤３０の盤面３０Ｆと平行な状態に戻る際の復元動作を支援する付勢ばねとして機能する。
【００４１】
尚、上の可動演出表示装置１００における左，右の上下スライド機構装置１１２，１１２の各移動ガイド孔形成部材１２０Ｂ，１２０Ｂに形成された各移動ガイド孔１２４，１２４は、上端部以外は上下方向に直線状に延長する直線状長孔部１４５に形成されて、上端部が直線状長孔部１４５の上端から上後方に延長して直線状長孔部に対して傾斜する傾斜状長孔部１４６に形成されている。
同様に、下の可動演出表示装置１００における左，右の上下スライド機構装置の各移動ガイド孔形成部材に形成された各移動ガイド孔は、下端部以外は上下方向に直線状に延長する直線状長孔部に形成されて、下端部が直線状長孔部の下端から下後方に延長して直線状長孔部に対して傾斜する傾斜状長孔部に形成されている。
【００４２】
また、図７に示すように、上の可動演出表示装置１００における傾姿勢維持手段１１１は、左，右の上下スライド機構装置１１２，１１２の各移動ガイド孔１２４，１２４の各上端部である各傾斜状長孔部１４６，１４６と、演出表示装置１０１の左右の側縁の中央上寄りの後面にそれぞれ取付けられた各移動ガイド孔連結部材１３１，１３１に設けられて各移動ガイド孔１２４，１２４内を移動する左右の移動ガイド孔連結軸部１５３，１５３と、左，右の上下スライド機構装置１１２，１１２の各移動ガイド孔形成部材１２０Ｂ，１２０Ｂの上端部にそれぞれ設けられた各移動規制部１４７，１４７と、演出表示装置１０１の左右の側縁の上側後面にそれぞれ取付けられた各内歯車部材１４８，１４８と、スライダ連結部材１３０における左右延長部１３３の左，右側にそれぞれ設けられて内歯車部材１４８の内歯車１４９と噛み合う歯車部１５０及び移動規制部１４７に衝突する衝突部１５１を有した回動部材１５２，１５２とを備えた構成である。
同様に、下の可動演出表示装置１００における傾姿勢維持手段は、左，右の上下スライド機構装置の各移動ガイド孔の各下端部である各傾斜状長孔部と、演出表示装置１０１の左右の側縁の中央下寄りの後面にそれぞれ取付けられた各移動ガイド孔連結部材に設けられて各各移動ガイド孔内を移動する左右の移動ガイド孔連結軸部と、左，右の上下スライド機構装置の各移動ガイド孔形成部材の下端部にそれぞれ設けられた各移動規制部と、演出表示装置１０１の左右の側縁の下側後面にそれぞれ取付けられた各内歯車部材と、スライダ連結部材における左右延長部の左，右側にそれぞれ設けられて内歯車部材の内歯車と噛み合う歯車部及び移動規制部に衝突する衝突部を有した回動部材とを備えた構成である。
【００４３】
尚、左，右の移動ガイド孔連結部材１３１，１３１は、演出表示装置１０１の左右の側縁側の後面に固定されて後方に延長し、左右の移動ガイド孔１２４，１２４の延長方向に移動可能なように左右の移動ガイド孔１２４，１２４に連結される左，右の移動ガイド孔連結軸部１５３，１５３を備えた構成である。
【００４４】
従って、上の可動演出表示装置１００においては、左，右の上下スライド機構装置１１２，１１２の各モータ１１６，１１６を回転させて左右の棒ねじ１１７，１１７を棒ねじ１１７の中心軸を回転中心として一方方向に回転させることで、左右のスライダ１１９，１１９を上方向に移動させる。これにより、図９（ａ）に示すように、左右の移動ガイド孔連結軸部１５３，１５３が左右の移動ガイド孔１２４，１２４の直線状長孔部１４５，１４５を移動することで演出表示画面１０５が移動ガイド孔１２４の直線状長孔部１４５と平行な状態を維持して、スライダ１１９に連結された演出表示装置１０１が上方向に移動する。そして、図９（ｂ）に示すように、移動ガイド孔連結軸部１５３，１５３が移動ガイド孔１２４，１２４の傾斜状長孔部１４６，１４６の入口に到達するとともに左右の回動部材１５２，１５２の衝突部１５１，１５１が移動規制部１４７，１４７に衝突する。これにより、図９（ｃ）に示すように、回動部材１５２，１５２が回転して歯車部１５０，１５０の回転が内歯車部材１４８，１４８に伝達されて移動ガイド孔連結軸部１５３，１５３が移動ガイド孔１２４，１２４の傾斜状長孔部１４６，１４６に入り込み、演出表示画面１０５の下端側が後方に移動するとともに、演出表示画面１０５の上端側が前方に移動するように動作するため、演出表示画面１０５が遊技盤３０の盤面３０Ｆ及び当該盤面３０Ｆと直交する面に対して傾斜した状態となる。即ち、演出表示装置１０１が当該盤面３０Ｆと平行でかつ水平方向に延長する回転中心軸を回転中心として回転することにより、演出表示画面１０５が遊技盤３０の盤面３０Ｆ及び当該盤面３０Ｆと直交する面に対して傾斜した状態となる。
【００４５】
同様に、下の可動演出表示装置１００においては、上の可動演出表示装置１００においては、左，右の上下スライド機構装置の各モータを回転させて左右の棒ねじを棒ねじの中心軸を回転中心として一方方向に回転させることで、左右のスライダを下方向に移動させる。これにより、左右の移動ガイド孔連結部が左右の移動ガイド孔の直線状長孔部を移動することで演出表示画面１０５が移動ガイド孔の直線状長孔部と平行な状態を維持して、スライダに連結された演出表示装置１０１が上方向に移動する。そして、移動ガイド孔連結軸部が移動ガイド孔の傾斜状長孔の入口に到達するとともに左右の回動部材の衝突部が移動規制部に衝突する。これにより、回動部材が回転して歯車部の回転が内歯車部材に伝達されて移動ガイド孔連結部が移動ガイド孔の傾斜状長孔部に入り込み、演出表示画面１０５の上端側が後方に移動するとともに、演出表示画面１０５の下端側が前方に移動するように動作するため、演出表示画面１０５が遊技盤３０の盤面３０Ｆ及び当該盤面３０Ｆと直交する面に対して傾斜した状態となる。
【００４６】
従って、上下の可動演出表示装置１００，１００は、図２３（ａ）に示すように、各演出表示画面１０５，１５０が遊技盤３０の盤面３０Ｆと平行な状態から、図２３（ｂ）に示すように、上の可動演出表示装置１００が上方に移動して演出表示画面１０５が遊技盤３０の盤面３０Ｆに対して傾斜した状態に維持されるとともに、下の可動演出表示装置１００が下方に移動して演出表示画面１０５が遊技盤３０の盤面３０Ｆに対して傾斜した状態に維持され、遊技盤３０の盤面構成体３１Ａの後方において、盤面構成体３１Ａの後面と各演出表示画面１０５，１０５との間で断面略Ｖ字状（くの字状）の可動体演出空間１００Ｘが形成されることになる。即ち、盤面構成体３１Ａの後面と各演出表示画面１０５，１０５との間の空間が大きくなり、上の演出表示画面１０５の下端と下の演出表示画面１０５の上端との間の間隙１００Ｙを介して目視される中央役物装置３００の可動体が当該間隙１００Ｙを介して前方に移動し、盤面構成体３１Ａの後面と各演出表示画面１０５，１０５との間の可動体演出空間１００Ｘで動くことができるようになり、可動演出表示装置１００と中央役物装置３００の可動体との動きによる複合動演出が可能となる。
【００４７】
尚、上，下の可動演出表示装置１００，１００は、同じ機能を備えるため、上，下の可動演出表示装置１００，１００は、それぞれ単独で上下動、及び、傾動させることが可能であり、このため、上，下の可動演出表示装置１００，１００を上下対称に作動させたり、上，下の可動演出表示装置１００，１００を上下非対称に作動させることができる。
例えば、図２，図３に示すように、上の演出表示装置１０１の下端と下の演出表示装置１０１の上端とを接触させた状態でこれら上下の演出表示装置１０１，１０１を一緒に上方又は下方に移動させたり、図２０，図２１に示すように、上，下の演出表示装置１０１，１０１のうちの一方を傾かせて他方を盤面３０Ｆと平行な状態に維持することで、上の演出表示装置１０１の下端側と下の演出表示装置１０１の上端側とが前後で重なるような状態とし、また、これら上下の演出表示装置１０１，１０１を一緒に上方又は下方に移動させたり、あるいは、図２２に示すように、可動演出表示装置１００と中央役物装置３００の可動体との動きによる複合動演出が可能となる。このように、当該上，下の可動演出表示装置１００，１００の動きによって様々なバリエーションの演出が可能となる。
【００４８】
［左，右の役物装置２００，２００について］
次に、図１０乃至図１３を参照し、左，右の役物装置２００，２００について説明する。
同じ機能を備えた左，右の役物装置２００，２００は、遊技盤３０が島設備に設置された状態において遊技盤３０の盤面３０Ｆと直交して上下前後に延長する垂直面を対象面として左右面対称となるように配置される。
左，右の役物装置２００，２００は、同じ機能を備えた構成であるため、以下、左の役物装置２００を例にして説明する。
【００４９】
役物装置２００は、設置基体２０１と、設置基体２０１の前方に位置されるように設置基体２０１に固定された前側固定光飾部材２０２と、設置基体２０１の前面に移動可能に設けられた可動部材２０３と、可動部材駆動手段２０４とを備えている。
【００５０】
前側固定光飾部材２０２は、上下の端部側に取付部２０５，２０５を備えている。
そして、前側固定光飾部材２０２は、取付部２０５と設置基体２０１の前面より前方に延長する支持支柱２０６の前端とを一致させた状態で、図外の止ねじが取付部２０５に形成された貫通孔２０８を介して支持支柱２０６の前端面から後方に向けて形成されたねじ孔２０９に締結されていることにより、設置基体２０１との間に支持支柱２０６の長さ分の空間を隔てて設置基体２０１に連結されている。
【００５１】
可動部材２０３は、設置基体２０１の前面と前側固定光飾部材２０２の後面との間の空間に配置される。
設置基体２０１において、可動部材２０３の上下の中間位置に対応する部分には、設置基体２０１を貫通して左右方向に延長する横長孔２１０が形成されている。
また、設置基体２０１の前面には横長孔２１０の延長方向と同方向に延長するスライドガイド２３１が設けられ、可動部材２０３の裏面にはスライドガイド２３１に案内されるスライダ２３２が設けられている。従って、可動部材２０３は、スライドガイド２３１に案内されて横長孔２１０の延長方向と同方向に移動可能となっている。
【００５２】
可動部材駆動手段２０４は、駆動源としてのモータ２１１と、モータ２１１の回転力を可動部材２０３に伝達する伝達機構２１２及びリンク機構２１３とを備えて、可動部材２０３を左右方向に移動させるように構成されている。
モータ２１１は設置基体２０１の前面に固定されている。
伝達機構２１２は、設置基体２０１に形成された貫通孔を通して設置基体２０１の後方に突出したモータ軸２１５に連結された駆動歯車２１６と、駆動歯車２１６と噛み合って回転可能なように設置基体２０１に取付けられた第１従動歯車２１７と、第１従動歯車２１７と噛み合って回転可能なように設置基体２０１に取付けられた第２従動歯車２１８を有した歯車部材２１９とを備えて構成される。
歯車部材２１９は、第２従動歯車２１８と、第２従動歯車２１８の周面の一部より径方向に突出した突出部の後面より後方に突出した連結軸２２０とを備えている。
リンク機構２１３は、歯車部材２１９の連結軸２２０とリンク２２１と横長孔２１０とが連結された構成である。
リンク２２１は、上下方向に延長する板状棒材により構成されており、当該板状棒材は、長手方向の中間位置より若干上方側の部分に貫通孔２２２を備えるとともに、上端側及び下端側には板状棒材の延長方向に長い長孔２２３，２２４を備えている(図１０，図１１参照）。
そして、設置基体２０１の後面より後方に突出するように設けられた回転中心円柱体２２５が板状棒材の貫通孔２２２を貫通して図外の止ねじが回転中心円柱体２２５の後端面から前方に延長するように形成されたねじ孔２２７に締結されたことにより、当該板状棒材が回転中心円柱体２２５を回転中心として回転可能なように設置基体２０１の後面に取付けられている。
そして、第２従動歯車２１８を備えた歯車部材２１９の連結軸２２０が板状棒材の上端側の長孔２２３を貫通して当該長孔２２３内を長軸方向に移動可能なように止輪等の連結手段で当該長孔２２３に連結され、かつ、可動部材２０３の裏面から後方に突出するように設けられた連結軸２２８が設置基体２０１の横長孔２１０及び板状棒材の下端側の長孔２２４を貫通して当該横長孔２１０内及び長孔２２４内を長軸方向に移動可能なように止輪等の連結手段で当該長孔２２４に連結されていることにより、リンク機構２１３が構成される。
【００５３】
従って、図１２に示すように、可動部材２０３が遊技盤３０の中央側から前側固定光飾部材２０２の後方側に位置された状態からモータ２１１を駆動して駆動歯車２１６を一方方向に回転させることで、図１３に示すように、可動部材２０３が前側固定光飾部材２０２の後方側から遊技盤３０の中央側に移動する。そして、図１３に示すように、可動部材２０３が前側固定光飾部材２０２の後方側から遊技盤３０の中央側に移動した状態からモータ２１１を駆動させて駆動歯車２１６を他方方向に回転させることで、図１２に示すように、可動部材２０３が遊技盤３０の中央側から前側固定光飾部材２０２の後方側に移動するように動作する。
【００５４】
［中央役物装置３００について］
次に、図１４乃至図１９を参照し、中央役物装置３００について説明する。
中央役物装置３００は、複合遊技部品３０１と、複合遊技部品３０１を遊技盤３０の前後方向に移動させるための複合遊技部品３０１の前後駆動手段３０２と、当該前後駆動手段３０２が取付けられた第１設置基体３０３とを備えた構成である。
【００５５】
図１５に示すように、複合遊技部品３０１は、前側固定光飾部材３１１と、回転部材３１２と、開閉部材３１３と、回転部材３１２を回転させるための回転駆動手段３１４と、開閉部材３１３を開閉させるための開閉駆動手段３１５と、回転駆動手段３１４及び開閉駆動手段３１５が取り付けられた第２設置基体３１６とを備えた構成である。
【００５６】
前側固定光飾部材３１１は、左右の端部側の後面から後方に延長するように設けられた支持支柱３２１，３２１を備えている。
そして、前側固定光飾部材３１１は、左右の支持支柱３２１，３２１の後端部側が第２設置基体３１６の左右の端部側の設けられた支柱連結部３２２，３２２に嵌め込まれた状態で、図外の止ねじが第２設置基体３１６に形成された図外の貫通孔を介して支持支柱３２１の後端面から前方に向けて形成された図外のねじ孔に締結されていることにより、第２設置基体３１６との間に支持支柱３２１の長さ分の空間を隔てて第２設置基体３１６に連結されている。
尚、前側固定光飾部材３１１は、前面が光装飾部３２３に形成され、後面には光装飾部３２３に光を照射する図外のＬＥＤ等の発光体５７を備えた基板を備えている。
【００５７】
開閉駆動手段３１５は、第２設置基体３１６の後面に固定されてモータ軸３２４が第２設置基体３１６を貫通して第２設置基体３１６の前面よりも突出するように設けられた駆動源としてのモータ３２５と、モータ３２５の回転力を開閉部材３１３に伝達する伝達機構３２６（図１９参照）とを備えて構成される。
【００５８】
伝達機構３２６は、第２設置基体３１６の前面よりも突出するモータ軸３２４に取付けられた駆動歯車３２７と、駆動歯車３２７と噛み合う第１従動歯車３２８を備えた第１歯車部材３２９と、第１従動歯車３２８と噛み合う第２従動歯車３３０を備えた第２歯車部材３３１と、第３従動歯車３３２を備えた第３歯車部材３３３と、第３従動歯車３３２と噛み合う第４従動歯車３３４を備えた第４歯車部材３３５と、第２設置基体３１６の前面に取付けられて第２従動歯車３３０の回転力を第３従動歯車３３２に伝達する中間伝達歯車リンク機構３３６と、第１従動歯車３２８、第２従動歯車３３０、第３従動歯車３３２、第４従動歯車３３４が回転可能に取付けられた開閉体設置基体３３７とを備えて構成される（図１５，図１９参照）。
【００５９】
中間伝達歯車リンク機構３３６は、第２従動歯車３３０と噛み合うように第２設置基体３１６の前面に回転可能に取付けられた従動ピニオン（従動歯車）３３８と、当該従動ピニオン３３８と噛み合う第１ラック３３９と第３従動歯車３３２と噛み合う第２ラック３４０とを有してこれらラックの歯の延在方向に移動可能なように第２設置基体３１６の前面に取付けられたラック部材３４１とを備えた構成である。
尚、ラック部材３４１は、左右方向に延長する長孔３４１ａを備え、第２設置基体３１６の前面に固定された連結軸３４１ｂが当該長孔３４１ａを貫通して長孔３４１ａから抜けないように取り付けられている。従って、ラック部材３４１は、従動ピニオン３３８の回転を受けて長孔３４１ａの左右延長方向に沿って移動可能に設けられている。
【００６０】
開閉体設置基体３３７は、左右の両端側に連結孔部３４２，３４２を備える。
当該開閉体設置基体３３７は、第２設置基体３１６の前面の左右より前方に突出するように設けられた支持支柱３４３，３４３の前端部側が連結孔部３４２，３４２に嵌め込まれた状態で、図外の止ねじが連結孔部３４２の貫通孔３４４を介して支持支柱３４３の前端面から後方に向けて形成されたねじ孔３４５に締結されていることにより、第２設置基体３１６との間に支持支柱３４３分の長さの空間を隔てて第２設置基体３１６に連結されている。
【００６１】
開閉部材３１３は、４つの開閉体３４６，３４６…により構成される。
第１〜第４従動歯車３２８，３３０，３３２，３３４は、それぞれ、開閉体３４６の根本部３４７を連結するための連結部を備えており、当該連結部に開閉体３４６の根本部３４７が連結されることで、４つの開閉体３４６，３４６…が開閉体設置基体３３７に開閉可能に連結されているものである。
【００６２】
従って、図１９（ａ）に示すように、第１の開閉体３４６と第２の開閉体３４６とが接触するとともに第３の開閉体３４６と第４の開閉体３４６とが接触してこれら開閉体が水平方向に延長した状態から、モータ３２５を駆動させて駆動歯車３２７を一方方向に回転させることによって、図１９（ｂ）に示すように、互いに噛み合う第１従動歯車３２８と第２従動歯車３３０とが回転して第１の開閉体３４６と第２の開閉体３４６とが互いに離れる方向に移動するとともに、第２従動歯車３３０の回転が中間伝達歯車リンク機構３３６を介して第３従動歯車に伝達され、互いに噛み合う第３従動歯車と第４従動歯車とが回転して第３の開閉部材と第４の開閉部材とが互いに離れる方向に移動する開閉部材開動作状態となる。
また、開閉部材開動作における最大開状態から、モータを駆動させて駆動歯車を他方方向に回転させることによって、互いに噛み合う第１従動歯車と第２従動歯車とが回転して第１開閉部材と第２開閉部材とが互いに近づく方向に移動するとともに、互いに噛み合う第３従動歯車と第４従動歯車とが回転して第３開閉部材と第４開閉部材とが互いに近づく方向に移動する開閉部材閉動作状態となる。
【００６３】
回転部材３１２は、例えば、長方形状の板材の前面に例えば意匠絵柄が描かれるとともに、長方形状の板材の長手方向の中央部に連結部３５１を備えた構成である。
回転駆動手段３１４は、第２設置基体３１６の後面に固定されてモータ軸３５２が第２設置基体３１６を貫通して第２設置基体３１６の前面よりも突出するように設けられた駆動源としてのモータ３５３と、モータ３５３の回転力を回転部材に伝達する伝達機構とを備えて構成される。
当該伝達機構は、図１５に示すように、第２設置基体３１６の前面よりも突出するモータ軸３５２に取付けられた駆動歯車３５５と、駆動歯車３５５と噛み合う従動歯車３５６を備えた歯車部材３５７とを備える。
歯車部材３５７は、後端側の外周面が従動歯車３５６に形成されてかつ前側が開閉体設置基体３３７の中央に形成された貫通孔３５８を貫通する円筒部３５９に形成された有底円筒体により構成され、開閉体設置基体３３７の貫通孔３５８を貫通する円筒部３５９の前端面に、回転部材３１２の連結部３５１の位置決め孔３６０に位置決めされる位置決め軸３６１と回転部材３１２の連結部３５１のねじ通し孔３６２に対応するねじ孔３６３とを備えた構成である。
即ち、開閉体設置基体３３７の貫通孔３５８を貫通させた歯車部材３５７の位置決め軸３６１を回転部材３１２の連結部３５１の位置決め孔３６０に挿入するとともに、図外の止ねじを回転部材３１２の前方からねじ通し孔３６２に通してねじ孔３６３に締結することで、回転部材３１２と歯車部材３５７とが連結され、駆動歯車３５５及び従動歯車３５６を介して回転部材３１２にモータ３５３の回転力が伝達されることによって、回転部材３１２が盤面と平行な面内で回転する構成となっている。
【００６４】
前後駆動手段３０２は、複合遊技部品３０１の左側を前後方向に移動させる左側の前後駆動手段３０４と、複合遊技部品３０１の右側を前後方向に移動させる右側の前後駆動手段３０４とを備える。
【００６５】
各前後駆動手段３０４，３０４は、それぞれ、可動脚３０５と、当該可動脚３０５を倒伏状態及び起立状態に駆動させる駆動手段３０６とを備える。
駆動手段３０６は、第１設置基体３０３に固定された駆動源としてのモータ３０７と、モータ３０７の回転力を可動脚３０５の起倒動作動力に変換して可動脚３０５に伝達する動力伝達機構３０８とを備える（図１７参照）。
動力伝達機構３０８は、モータ３０７のモータ軸３０７ａに取り付けられた駆動歯車３７１と、駆動歯車３７１と噛み合うように第１設置基体３０３に回転可能に固定された従動歯車３７２と、従動歯車３７２に設けられた伝達軸３７３と、第１設置基体３０３に固定されたガイド軸３７４，３７４と、伝達軸３７３が挿入される長穴３７５とガイド軸３７４，３７４が挿入される長穴３７６，３７６とを有したスライダ３７７とを備えた構成である（図１６，図１７，図１８参照）。
【００６６】
可動脚３０５は、一端（後端）がスライダ３７７に回転可能に連結されて他端（前端）が複合遊技部品３０１の第２設置基体３１６に回転可能に連結される。
可動脚３０５は、他端が第２設置基体３１６の上側部に回動可能に取付けられた上脚３８１の一端側とが第２設置基体３１６の下側部に回動可能に取付けられた下脚３８１の一端側とが連結片３８２で連結されて補強され、上脚３８１及び下脚３８１が互いに平行に配置された構成となっている。
また、上脚３８１及び下脚３８１は、一端と他端との中央側に互いに離れる方向に延長するガイド軸部３８３，３８３を備え、当該ガイド軸部３８３，３８３が第１設置基体３０３の前面より突出するように設けられた壁体３８４，３８４に形成されたガイド孔３８５，３８５に挿入され、上脚３８１及び下脚３８１の倒伏動作時と起立動作時において当該ガイド軸部３８３，３８３がガイド孔３８５，３８５に案内される。
尚、左右の可動脚３０５，３０５のガイド軸部３８３，３８３を案内する左右のガイド孔３８５，３８５は、第１設置基体３０３の前面から前方に向けて互いに近付くように湾曲する弧状の長孔により形成される。
また、上脚３８１及び下脚３８１の一端側には、スライダ３７７の上下に設けられた軸受凹部３８６，３８６に挿入される回転中心軸３８７，３８７を備え、当該回転中心軸３８７の後側が軸受凹部３８６に挿入された状態で当該回転中心軸３８７の前側が挿入される凹部３８８を有した取付カバー３８９が図外の止ねじでスライダ３７７に固定されることによって、上脚３８１及び下脚３８１の一端側がスライダ３７７に回転可能に連結されている。
そして、第１設置基体３０３の前面には、第１設置基体３０３の前面の周縁側及び左右のモータ３０７，３０７を覆うカバー３９０が取付られている（図１４参照。尚、図１５，図１６ではカバー３９０の図示を省略している。）。
【００６７】
従って、図１７に示すように、複合遊技部品３０１が最後方位置（初期状態）に位置される場合は、各前後駆動手段３０４，３０４の各スライダ３７７，３７７が互いに離れるように位置されて左右の可動脚３０５，３０５が倒伏した状態となっている。
左右の可動脚３０５，３０５が倒伏状態から起立する際の起立動作時においては、図１８に示すように、左右のスライダ３７７，３７７が互いに近づく方向に移動するとともに、ガイド軸部３８３，３８３がガイド孔３８５，３８５の前方に移動するのに伴って、左右の可動脚３０５，３０５の一端及び他端が回動して他端が前方に移動することで、複合遊技部品３０１が前方に移動する。
また、複合遊技部品３０１が最前方位置（作動状態）に位置される場合は、各前後駆動手段３０４，３０４のスライダ３７７，３７７が互いに近づくように位置されて左右の可動脚３０５，３０５が前方に起立した状態となっている。
左右の可動脚３０５，３０５が起立状態から倒伏する際の倒伏動作時においては、左右のスライダ３７７，３７７が互いに離れる方向に移動するとともに、ガイド軸部３８３，３８３がガイド孔３８５，３８５の後方に移動するのに伴って、左右の可動脚３０５，３０５の一端及び他端が回動して他端が後方に移動することで、複合遊技部品３０１が後方に移動する。
以上により、複合遊技部品３０１を遊技盤３０の前後方向に移動させることができる。
【００６８】
従って、中央役物装置３００は、複合遊技部品３０１が前後方向に移動可能に構成され、かつ、複合遊技部品３１０の開閉体３４６，３４６…が遊技盤３０の盤面３０Ｆと平行な面内において開閉動作を行うとともに、回転部材３１２が前後方向に延長する回転中心軸を回転中心として回転動作を行うことが可能なように構成されている。
【００６９】
［上飾り部品４００について］
上飾り部品４００は、前側に光装飾部４０１を備え、後側には光装飾部４０１に光を照射する図外のＬＥＤ等の発光体５７を備えた基板を備えている。
【００７０】
［下飾り部品５００について］
下飾り部品５００は、前側に光装飾部５０１を備え、後側には光装飾部５０１に光を照射する図外のＬＥＤ等の発光体５７を備えた基板を備えている。
【００７１】
［パチンコ機の内部構成について］
図２４は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、上下の可動演出表示装置１００，１００、左右の役物装置２００，２００、中央役物装置３００、スピーカユニット８、ＬＥＤ等の発光体５７を制御する演出制御回路２７０とを備える。
【００７２】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００７３】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００７４】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００７５】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００７６】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、演出制御回路２７０に接続された上下の可動演出表示装置１００，１００の演出表示装置駆動手段１０２の駆動制御、上下の可動演出表示装置１００，１００の演出表示画面１０５の画像制御、左右の役物装置２００，２００の可動部材駆動手段２０４の駆動制御、中央役物装置３００の前後駆動手段３０２の駆動制御、中央役物装置３００の回転駆動手段３１４の駆動制御、中央役物装置３００の開閉駆動手段３１５の駆動制御、遊技進行中における楽曲や効果音などの音声をスピーカユニット８から出力させる音声出力制御や、左右の役物装置２００，２００の前側固定光飾部材２０２、中央役物装置３００の前側固定光飾部材３１１、上飾り部品４００の光装飾部４０１、下飾り部品５００の光装飾部５０１、光飾装置７０、遊技盤３０及びパネル枠４等の各所に配設されたＬＥＤ等の発光体５７を多様なパターンにより発行させる発光制御を実行する。このときＲＡＭ２７０ｃは、ＣＰＵ２７０ａの演算処理時におけるワークエリアとして機能し、演算に必要な各種のデータや、コマンド等を一時的に保持する。
【００７７】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００７８】
以下、上記構成からなるパチンコ機１の遊技の流れについて概説する。
遊技者のハンドルユニット７の操作により遊技領域３０Ａ内を流下する遊技球が前述の第１始動部品５０又は第２始動部品５２に入球すると、主制御回路２４０では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００７９】
実施形態１においては、演出制御回路２７０が上，下の可動演出表示装置１００，１００における駆動源としてのモータ１１６を制御することで、各可動演出表示装置１００，１００の各演出表示画面１０５，１０５を遊技盤３０の盤面３０Ｆに対して平行を維持した状態で上下方向に移動するとともに、各演出表示画面１０５，１０５が遊技盤３０の盤面３０Ｆに対して傾斜するように構成されているため、上下の演出表示装置１０１，１０１の動きによる多種多様な演出が可能となり、遊技性に富んだパチンコ機１を提供できる。
【００８０】
また、上，下の可動演出表示装置１００，１００の後方に可動体（前後移動する可動体としての複合遊技部品３０１、可動体としての回転部材３１２や開閉部材３１３）が設けられており、上の演出表示装置１０１の下端１００ｕと下の演出表示装置１０１の上端１００ｔとが上下方向に互いに離れるように構成されて、上下方向に互いに離れた上の演出表示装置１０１と下の演出表示装置１０１との間の間隙を介して遊技盤３０の盤面３０Ｆの前方から複合遊技部品３０１が目視可能となるように当該複合遊技部品３０１が配置されているため、一体のように目視されていた上，下の可動演出表示装置１００，１００が上下に割れて、間隙を介して複合遊技部品３０１が出現する演出が可能となり、インパクトの強い演出を行えるパチンコ機１を提供できる。この場合、複合遊技部品３０１の可動体としての回転部材３１２や開閉部材３１３を駆動することで、間隙１００Ｙを介して遊技者から目視されるように出現した複合遊技部品３０１が動く可動体演出が可能となり、演出表示装置１０１の移動と可動体とを組み合わせた意外性に富んだ演出が可能となり、よりインパクトの強い演出を行えるパチンコ機１を提供できる。
さらに、中央役物装置３００は、複合遊技部品３０１を前後に移動させる機構を備えているため、間隙を介して複合遊技部品３０１が後方から前方に移動してくる可動体演出を行うことが可能となり、遊技者からみて複合遊技部品３０１が迫ってくるような迫力感のある演出を行えるパチンコ機１を提供できる。
【００８１】
さらに、上の演出表示装置１０１の下端１００ｕと下の演出表示装置１０１の上端１００ｔとが遊技盤３０の盤面３０Ｆから離れる方向に移動して各演出表示画面１０５，１０５が遊技盤３０の盤面３０Ｆ及び当該盤面３０Ｆと直交する面に対して状態において、上の演出表示装置１０１の下端１００ｕと下の演出表示装置１０１の上端１００ｔとの間の間隙１００Ｙを介して中央役物装置３００の可動体を演出表示装置１０１の後方から各演出表示画面１０５，１０５の前方に移動させるインパクトが大きい可動体前方移動演出が可能となるため、より迫力感のある演出を行えるパチンコ機１となる。
この場合、盤面構成体３１Ａの後面と各演出表示画面１０５，１０５との間で断面略Ｖ字状（くの字状）の大きい可動体演出空間１００Ｘを形成することが可能となるため、遊技盤３０の前後幅寸法を抑えた上で、各演出表示画面１０５，１０５の前側で複合遊技部品３０１の回転部材３１２や開閉部材３１３を動かす可動体演出が可能となる。すなわち、遊技盤３０の限られた前後スペース内で各演出表示画面１０５，１０５の前側に可動体を動かす可動体演出を行うための比較的大きな可動体演出空間１００Ｘを形成することが可能となり、演出表示装置１０１，１０１の移動と可動体とを組み合わせたダイナミックな可動体演出が可能な遊技性に富んだパチンコ機１を提供できる。
つまり、上の演出表示装置１０１の下端１００ｕと下の演出表示装置１０１の上端１００ｔとが上下方向に互いに離れるように移動させるだけでは、盤面構成体３１Ａの後面と各演出表示画面１０５，１０５との間の空間は変化しないため、各演出表示画面１０５，１０５の前側で中央役物装置３００の可動体を動かす可動体演出を行うための広いスペースが得られないのに対して、実施形態では、上の演出表示装置１０１の下端１００ｕと下の演出表示装置１０１の上端１００ｔとが遊技盤３０の盤面３０Ｆから離れる方向に移動させることで、盤面構成体３１Ａの後面と各演出表示画面１０５，１０５との間の空間が大きくなり、各演出表示画面１０５，１０５の前側で中央役物装置３００の可動体を動かす可動体演出を行うための広いスペース、すなわち、可動体演出空間１００Ｘが形成され、当該広い可動体演出空間１００Ｘ内でダイナミックな可動体演出が可能となる。
【００８２】
尚、実施形態１では、複数の可動演出表示装置として上，下の可動演出表示装置１００，１００を備えた例を示したが、可動演出表示装置として左，右の可動演出表示装置を備えた構成としてもよい。当該左，右の可動演出表示装置は、上述した上，下の可動演出表示装置１００，１００を遊技盤３０内の左右に配置することで実現できる。
また、複数の可動演出表示装置として、遊技者から見て左斜め上に配置された可動演出表示装置及び右斜め下に配置された可動演出表示装置を用いても良いし、また、遊技者からみ見て右斜め上に配置された可動演出表示装置及び左斜め下に配置された可動演出表示装置を用いても良い。
即ち、実施形態のパチンコ機１としては、互いに隣り合うように配置された一方の演出表示装置と他方の演出表示装置とが互いに離れる方向に移動可能に構成され、離れた方向に移動した一方の表示装置と他方の表示装置との間の間隙を介して遊技盤３０の盤面３０Ｆの前方から複合遊技部品３０１（可動体）が目視可能となるように当該複合遊技部品３０１が配置された構成であればよい。
また、実施形態のパチンコ機１としては、互いに隣り合うように配置された一方の演出表示装置と他方の演出表示装置とが互いに離れる方向に移動するとともに、一方の演出表示装置及び他方の演出表示装置の互いに近い側の端部同士が遊技盤３０の盤面３０Ｆから離れる方向に移動して一方の演出表示装置及び他方の演出表示装置の各演出表示画面が遊技盤３０の盤面３０Ｆに対して傾斜するように構成され、複合遊技部品３０１（可動体）が、一方の演出表示装置及び他方の演出表示装置の互いに近い側の端部間の間隙を介して一方の演出表示装置及び他方の演出表示装置の各演出表示画面よりも前方に移動して、当該各演出表示画面の前側で動くように構成されていればよい。
【００８３】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００８４】
１  パチンコ機（遊技機）、３０  遊技盤、３０Ｆ  盤面、
１００Ｘ  可動体演出空間、１００Ｙ  間隙、１０１  演出表示装置（表示装置）、
３００  中央役物装置（可動体）、３０１  複合遊技部品（可動体）、
３１２  中央役物装置の開閉部材（可動体）、
３１３  中央役物装置の回転部材（可動体）。
【図１】
2016214741.tif 000003
【図２】
2016214741.tif 000004
【図３】
2016214741.tif 000005
【図４】
2016214741.tif 000006
【図５】
2016214741.tif 000007
【図６】
2016214741.tif 000008
【図７】
2016214741.tif 000009
【図８】
2016214741.tif 000010
【図９】
2016214741.tif 000011
【図１０】
2016214741.tif 000012
【図１１】
2016214741.tif 000013
【図１２】
2016214741.tif 000014
【図１３】
2016214741.tif 000015
【図１４】
2016214741.tif 000016
【図１５】
2016214741.tif 000017
【図１６】
2016214741.tif 000018
【図１７】
2016214741.tif 000019
【図１８】
2016214741.tif 000020
【図１９】
2016214741.tif 000021
【図２０】
2016214741.tif 000022
【図２１】
2016214741.tif 000023
【図２２】
2016214741.tif 000024
【図２３】
2016214741.tif 000025
【図２４】
2016214741.tif 000026